(57)【要約】【課題】据付作業性が高く、送信機あるいは受信機の移動や配置変更を容易に行うことができ、しかも、発光部の発光あるいは消光タイミングを同期させることができ、その結果、演出効果を十分に高めることが可能な発光装置を提供する。【解決手段】発光装置１０は、制御装置１２と、制御装置１２と接続される送信機１４と、発光部１６（１）〜１６（ｎ）を有し送信機１４と無線１７により接続される複数の受信機１８（１）〜１８（ｎ）とから構成される。制御装置１２は、受信機１８（１）〜１８（ｎ）毎の受信機制御データと同期データとから構成される同一の発光処理コマンドを、送信機１４を介して無線１７により複数の受信機１８（１）〜１８（ｎ）に対して同時に送信し、発光処理コマンドを受信した各受信機１８（１）〜１８（ｎ）は、同期データにより決定されるタイミングで自己の発光部１６（１）〜１６（ｎ）を駆動する。【選択図】図１
2005071853.tif 000002
【特許請求の範囲】
【請求項１】
制御装置と、
前記制御装置に接続される送信機と、
前記送信機に無線により接続され、発光部を各々有する複数の受信機と、
を備え、
前記制御装置は、前記複数の受信機の各々を識別する受信機識別データと発光情報データとからなる受信機制御データと、同期データとから構成される発光処理コマンドを、前記送信機から前記複数の受信機に同時に送信し、
前記発光処理コマンドを受信した各受信機は、前記受信機識別データが自己を示すデータであるか否かを判定し、自己を示すデータであった場合、前記発光情報データに基づき前記同期データにより決定されるタイミングで自己の前記発光部を駆動することを特徴とする発光装置。
【請求項２】
請求項１記載の発光装置において、
前記受信機識別データは、前記受信機毎に割り振られた受信機番号コード、全ての受信機を駆動対象とする全受信機コード、又は前記受信機が属するグループを示すグループコードのいずれかであることを特徴とする発光装置。
【請求項３】
請求項１又は２記載の発光装置において、
前記受信機は記憶部を有し、前記記憶部には前記発光部を所定のパターンで発光させるための発光パターンプログラムが前記発光処理コマンドの受信に先立って予め格納され、
前記発光情報データには前記発光パターンプログラムを特定する発光パターンコードが格納され、
前記受信機は前記発光処理コマンドを受信した際、前記発光パターンコードに対応した発光パターンプログラムを前記記憶部から読み出し前記発光部を駆動することを特徴とする発光装置。
【請求項４】
請求項３記載の発光装置において、
前記発光パターンプログラムは、前記制御装置から前記送信機を介して前記受信機に送信され、前記記憶部に格納されることを特徴とする発光装置。
【請求項５】
請求項１〜４のいずれか１項に記載の発光装置において、
前記受信機は、自身で前記発光部を駆動する操作部を有することを特徴とする発光装置。
【請求項６】
請求項１〜５のいずれか１項に記載の発光装置において、
前記送信機または前記受信機の少なくとも一方を移動体に搭載して前記送信機と前記受信機とを相対的に移動させた状態において、前記送信機と前記受信機とが所定の位置関係になったとき、前記制御装置は、前記発光処理コマンドを前記送信機から前記受信機に送信することを特徴とする発光装置。
【請求項７】
制御装置と、
前記制御装置に接続される複数の送信機と、
前記各送信機に無線により接続され、発光部を各々有する少なくとも１つの受信機と、
を備え、
前記制御装置は、前記複数の送信機の各々を識別する送信機識別データと、前記各送信機に接続される受信機の各々を識別する受信機識別データと発光情報データとからなる受信機制御データとから構成される複数の送信機制御データと、第１同期データとから構成される第１発光処理コマンドを作成し、
さらに、前記各送信機に接続される受信機の数が異なる場合、前記制御装置は、接続される受信機の数が少ない送信機の前記送信機制御データの長さが、最も多くの受信機が接続される送信機の前記送信機制御データの長さと等しくなるように、接続される受信機の数が少ない送信機の前記送信機制御データに所定長のダミーデータを付加し、前記第１発光処理コマンドを複数の前記送信機に同時に出力し、
前記第１発光処理コマンドを入力した前記各送信機は、前記送信機識別データが自己を示すデータであるか否かを判定し、自己を示すデータであった場合、前記第１発光処理コマンド内から自己に接続される受信機に関する前記受信機制御データを取得し、取得した受信機制御データに第２同期データを付加して第２発光処理コマンドを作成し、
作成した前記第２発光処理コマンドを前記第１同期データにより決定されるタイミングで自己に接続される前記受信機に同時に送信し、
前記第２発光処理コマンドを受信した前記各受信機は、前記受信機識別データが自己を示すデータであるか否かを判定し、自己を示すデータであった場合、前記発光情報データに基づき前記第２同期データにより決定されるタイミングで自己の前記発光部を駆動することを特徴とする発光装置。
【請求項８】
制御装置と、
前記制御装置に接続される複数の送信機と、
前記各送信機に無線により接続され、発光部を各々有する少なくとも１つの受信機と、
を備え、
前記制御装置は、前記複数の送信機の各々を識別する送信機識別データと、前記各送信機に接続される受信機の各々を識別する受信機識別データと発光情報データとからなる受信機制御データとから構成される複数の送信機制御データと、第１同期データとから構成される第１発光処理コマンドを作成し、
さらに、前記各送信機に接続される受信機の数が異なる場合、前記制御装置は、接続される受信機の数が少ない送信機の前記送信機制御データの転送時間が、最も多くの受信機が接続される送信機の前記送信機制御データの転送時間と等しくなるように、接続される受信機の数が少ない送信機の前記送信機制御データに調整時間データを付加し、前記第１発光処理コマンドを複数の前記送信機に同時に出力し、
前記第１発光処理コマンドを入力した前記各送信機は、前記送信機識別データが自己を示すデータであるか否かを判定し、自己を示すデータであった場合、前記第１発光処理コマンド内から自己に接続される受信機に関する前記受信機制御データと前記調整時間データとを取得し、取得した受信機制御データに第２同期データを付加して第２発光処理コマンドを作成し、
前記調整時間データが存在しない場合、前記送信機は、作成した前記第２発光処理コマンドを前記第１同期データにより決定されるタイミングで自己に接続される少なくとも１つの前記受信機に同時に送信し、
前記調整時間データが存在する場合、前記送信機は、作成した前記第２発光処理コマンドを前記第１同期データにより決定されるタイミングから前記調整時間データで規定される時間が経過した時点で自己に接続される少なくとも１つの前記受信機に同時に送信し、
前記第２発光処理コマンドを受信した前記各受信機は、前記受信機識別データが自己を示すデータであるか否かを判定し、自己を示すデータであった場合、前記発光情報データに基づき前記第２同期データにより決定されるタイミングで自己の前記発光部を駆動することを特徴とする発光装置。
【発明の詳細な説明】
【技術分野】
【０００１】
本発明は、制御装置と、この制御装置に接続される送信機と、前記送信機と通信網を介して接続され、発光部を有する少なくとも１つの受信機とから構成され、主にスタジアム、スタジオ、ホール等における演出効果を高めるための電飾装置等に適用される発光装置に関する。
【背景技術】
【０００２】
スタジアム、スタジオ、ホール等における雰囲気を盛り上げるために様々な演出方法が採られている。例えば、音に合わせて複数のスポットライトを変化させ、あるいは、観客にペンライトを持たせて、このペンライトを所定の発光パターンで変化させる等の演出方法を挙げることができる。
【０００３】
ところで、従来、前記スポットライトやペンライト等の発光部と、それを制御する制御装置とはケーブル等で接続されていた。従って、スタジアム等での据付けの際、ケーブルを引き回さなければならず、作業者は多大な労力を強いられていた。また、床下等がケーブルにより雑然となる等の問題があった。
【０００４】
ところで、会場内の雰囲気を盛り上げるために、例えば、暗くした状態で観客がペンライトを持ち会場内を移動することがある。このようにすることにより、会場内を例えばホタルが飛び交うような幻想的な雰囲気とすることができる。しかしながら、ペンライトにケーブルが接続されていると、観客はケーブルが絡まないように支えながら移動しなければならないため必然的に動きがゆっくりしたものとなり、それに伴ってペンライトの光の移動も迅速に行うことができなくなってしまう。従って、ペンライトの光が素早く動くようなダイナミック演出をすることができず、演出内容が地味なものに限定されてしまう不都合があった。
【０００５】
そこで、発光部と制御部とを有線で接続したことに伴う上記問題を解決するために、特許文献１に開示された従来技術では、携帯発光装置と発光状態制御装置とを無線を介して接続するようにしている。
【０００６】
【特許文献１】特開２００３−３６９８１号公報
【発明の開示】
【発明が解決しようとする課題】
【０００７】
しかしながら、特許文献１の発光装置の場合、複数の携帯発光装置間の発光タイミングがばらつく懸念がある。特に、例えば、あるリズムに合わせて複数の携帯発光装置を一斉に発光し、あるいは一斉に消光させるような演出を行った場合等は、複数の携帯発光装置間における発光タイミングのばらつきがより一層目立ってしまう。
【０００８】
本発明は、上記の問題を解決するためになされたものであり、据付作業性が高く、送信機あるいは受信機の移動や配置変更を容易に行うことができ、しかも、発光部の発光あるいは消光タイミングを同期させることができ、その結果、演出効果を十分に高めることが可能な発光装置を提供することを目的とする。
【課題を解決するための手段】
【０００９】
前記の課題を解決するために、本発明に係る発光装置は、制御装置と、前記制御装置に接続される送信機と、前記送信機に無線により接続され、発光部を各々有する複数の受信機とを備え、前記制御装置は、前記複数の受信機の各々を識別する受信機識別データと発光情報データとからなる受信機制御データと、同期データとから構成される発光処理コマンドを、前記送信機から前記複数の受信機に同時に送信し、前記発光処理コマンドを受信した各受信機は、前記受信機識別データが自己を示すデータであるか否かを判定し、自己を示すデータであった場合、前記発光情報データに基づき前記同期データにより決定されるタイミングで自己の前記発光部を駆動することを特徴とする（請求項１記載の発明）。
【００１０】
本発明によれば、送信機が発光処理コマンドを複数の受信機に同時に送信し、各受信機が前記発光処理コマンドに含まれる同期データにより決定されるタイミングで自己の発光部を駆動するので、各発光部の発光あるいは消光タイミングを同期させることができる。すなわち、例えば、あるタイミングで全ての発光部を一斉に発光させるような演出を行った場合であっても、各発光部間の発光タイミングがばらつくことがなく、演出効果が向上し、結果として、会場内の雰囲気を高めることができる。
【００１１】
また、本発明によれば、発光処理コマンド内に複数の受信機の各々を識別するための受信機識別データを設けたので、任意の受信機の発光部を容易に駆動することができる。
【００１２】
さらに、本発明によれば、送信機と、複数の受信機とを無線により接続したので、ケーブルが不要となる。従って、ケーブルを引き回す必要がなく据付作業性を向上させることができ、また、床下等がケーブルにより雑然となることもない。
【００１３】
またさらに、送信機と受信機とを相対移動させる場合であっても、送信機と受信機とをケーブルで接続した場合に比して格段の機動性を有する。従って、本発明によれば、例えば、受信機、すなわち発光部の光を素早く移動させることが可能となる。よって、ダイナミックな演出が可能となり、会場内の雰囲気を高めることができる。
【００１４】
この場合、前記受信機識別データは、前記受信機毎に割り振られた受信機番号コード、全ての受信機を駆動対象とする全受信機コード、又は前記受信機が属するグループを示すグループコードのいずれかであってもよい（請求項２記載の発明）。
【００１５】
さらに、前記受信機は記憶部を有し、前記記憶部には前記発光部を所定のパターンで発光させるための発光パターンプログラムが前記発光処理コマンドの受信に先立って予め格納され、前記発光情報データには前記発光パターンプログラムを特定する発光パターンコードが格納され、前記受信機は前記発光処理コマンドを受信した際、前記発光パターンコードに対応した発光パターンプログラムを前記記憶部から読み出し前記発光部を駆動するようにしてもよい（請求項３記載の発明）。
【００１６】
この場合、前記発光パターンプログラムは、前記制御装置から前記送信機を介して前記受信機に送信され、前記記憶部に格納されてもよい（請求項４記載の発明）。
【００１７】
さらに、前記受信機は、自身で前記発光部を駆動する操作部を有してもよい（請求項５記載の発明）。
【００１８】
さらにまた、前記送信機または前記受信機の少なくとも一方を移動体に搭載して前記送信機と前記受信機とを相対的に移動させた状態において、前記送信機と前記受信機とが所定の位置関係になったとき、前記制御装置が前記発光処理コマンドを前記送信機から前記受信機に送信するようにしてもよい（請求項６記載の発明）。
【００１９】
また、本発明に係る発光装置は、制御装置と、前記制御装置に接続される複数の送信機と、前記各送信機に無線により接続され、発光部を各々有する少なくとも１つの受信機とを備え、前記制御装置は、前記複数の送信機の各々を識別する送信機識別データと、前記各送信機に接続される受信機の各々を識別する受信機識別データと発光情報データとからなる受信機制御データとから構成される複数の送信機制御データと、第１同期データとから構成される第１発光処理コマンドを作成し、さらに、前記各送信機に接続される受信機の数が異なる場合、前記制御装置は、接続される受信機の数が少ない送信機の前記送信機制御データの長さが、最も多くの受信機が接続される送信機の前記送信機制御データの長さと等しくなるように、接続される受信機の数が少ない送信機の前記送信機制御データに所定長のダミーデータを付加し、前記第１発光処理コマンドを複数の前記送信機に同時に出力し、前記第１発光処理コマンドを入力した前記各送信機は、前記送信機識別データが自己を示すデータであるか否かを判定し、自己を示すデータであった場合、前記第１発光処理コマンド内から自己に接続される受信機に関する前記受信機制御データを取得し、取得した受信機制御データに第２同期データを付加して第２発光処理コマンドを作成し、作成した前記第２発光処理コマンドを前記第１同期データにより決定されるタイミングで自己に接続される前記受信機に同時に送信し、前記第２発光処理コマンドを受信した前記各受信機は、前記受信機識別データが自己を示すデータであるか否かを判定し、自己を示すデータであった場合、前記発光情報データに基づき前記第２同期データにより決定されるタイミングで自己の前記発光部を駆動することを特徴とする（請求項７記載の発明）。
【００２０】
さらに、本発明に係る発光装置は、制御装置と、前記制御装置に接続される複数の送信機と、前記各送信機に無線により接続され、発光部を各々有する少なくとも１つの受信機とを備え、前記制御装置は、前記複数の送信機の各々を識別する送信機識別データと、前記各送信機に接続される受信機の各々を識別する受信機識別データと発光情報データとからなる受信機制御データとから構成される複数の送信機制御データと、第１同期データとから構成される第１発光処理コマンドを作成し、さらに、前記各送信機に接続される受信機の数が異なる場合、前記制御装置は、接続される受信機の数が少ない送信機の前記送信機制御データの転送時間が、最も多くの受信機が接続される送信機の前記送信機制御データの転送時間と等しくなるように、接続される受信機の数が少ない送信機の前記送信機制御データに調整時間データを付加し、前記第１発光処理コマンドを複数の前記送信機に同時に出力し、前記第１発光処理コマンドを入力した前記各送信機は、前記送信機識別データが自己を示すデータであるか否かを判定し、自己を示すデータであった場合、前記第１発光処理コマンド内から自己に接続される受信機に関する前記受信機制御データと前記調整時間データとを取得し、取得した受信機制御データに第２同期データを付加して第２発光処理コマンドを作成し、前記調整時間データが存在しない場合、前記送信機は、作成した前記第２発光処理コマンドを前記第１同期データにより決定されるタイミングで自己に接続される少なくとも１つの前記受信機に同時に送信し、前記調整時間データが存在する場合、前記送信機は、作成した前記第２発光処理コマンドを前記第１同期データにより決定されるタイミングから前記調整時間データで規定される時間が経過した時点で自己に接続される少なくとも１つの前記受信機に同時に送信し、前記第２発光処理コマンドを受信した前記各受信機は、前記受信機識別データが自己を示すデータであるか否かを判定し、自己を示すデータであった場合、前記発光情報データに基づき前記第２同期データにより決定されるタイミングで自己の前記発光部を駆動することを特徴とする（請求項８記載の発明）。
【００２１】
請求項７、８記載の本発明によれば、制御装置と接続される送信機が複数であって且つ各送信機に接続される受信機の数が異なる場合であっても、全ての発光部の発光あるいは消光タイミングの同期を容易且つ確実にとることができる。
【発明の効果】
【００２２】
以上のように、本発明によれば、送信機が発光処理コマンドを複数の受信機に同時に送信し、各受信機が前記発光処理コマンドに含まれる同期データにより決定されるタイミングで自己の発光部を駆動するので、各発光部の発光あるいは消光タイミングを同期させることができる。すなわち、例えば、あるタイミングで全ての発光部を一斉に発光させるような演出を行った場合であっても、各発光部間の発光タイミングがばらつくことがなく、演出効果が向上し、結果として、会場内の雰囲気を高めることができる。
【００２３】
また、本発明によれば、発光処理コマンド内に複数の受信機の各々を識別するための受信機識別データを設けたので、任意の受信機の発光部を容易に駆動することができる。
【００２４】
さらに、本発明によれば、送信機と、複数の受信機とを無線により接続したので、ケーブルが不要となる。従って、ケーブルを引き回す必要がなく据付作業性を向上させることができ、また、床下等がケーブルにより雑然となることもない。
【００２５】
また、送信機と受信機とを相対移動させる場合であっても、送信機と受信機とをケーブルで接続した場合に比して格段の機動性を有する。従って、本発明によれば、例えば、受信機、すなわち発光部の光を素早く移動させることが可能となる。よって、ダイナミックな演出が可能となり、会場内の雰囲気を高めることができる。
【発明を実施するための最良の形態】
【００２６】
本発明に係る発光装置について、好適な実施の形態を挙げ、添付の図面を参照しながら以下に説明する。
【００２７】
第１の実施の形態に係る発光装置１０は、図１に示すように、制御装置１２と、制御装置１２に接続される送信機１４と、送信機１４に無線１７により接続され、発光部１６（１）〜１６（ｎ）を各々有する複数の受信機１８（１）〜１８（ｎ）とから基本的に構成される。
【００２８】
制御装置１２は、汎用のパーソナルコンピュータやワークステーション、あるいはこの発光装置１０に特化した専用機等で構成され、受信機１８（１）〜１８（ｎ）に対する各種コマンド等のデジタルデータを作成し、送信機１４に対して出力する。
【００２９】
送信機１４は、図２に示すように、制御装置１２から出力されたデジタルデータを入力し処理する送信機側制御部２０と、送信機側制御部２０からのデジタルデータを電波として送信することができる高周波信号（搬送波）に乗せる処理（変調）を行う変調部２２と、変調された搬送波を増幅する増幅部２４と、送信用アンテナ２６とから構成される。
【００３０】
受信機１８（１）〜１８（ｎ）は、送信用アンテナ２６から放射された電波を受信する受信用アンテナ３０と、受信した電波に基づく電気信号を増幅する増幅部３２と、増幅された電気信号を復調してデジタルデータを得る復調部３４と、得られたデジタルデータを処理する受信機側制御部３６と、自己の受信機番号コードを格納する第１メモリ３８と、発光部１６（１）〜１６（ｎ）の発光パターンプログラムを格納する第２メモリ４０（記憶部）と、ワークメモリ４２と、バッテリ４４とから構成される。
【００３１】
また、受信機１８（１）〜１８（ｎ）の各々の受信機側制御部３６には、赤ＬＥＤ５０、緑ＬＥＤ５２及び青ＬＥＤ５４から構成される発光部１６（１）〜１６（ｎ）が各々接続される。この場合、赤ＬＥＤ５０、緑ＬＥＤ５２及び青ＬＥＤ５４は、発光するか否かの単純なオンオフ動作をするものであってもよいし、明るさ（階調）を調整することが可能なものであってもよい。本実施の形態では、これらのＬＥＤ５０、５２、５４は、単純なオンオフ動作をするものとして以下に説明する。
【００３２】
第１の実施の形態に係る発光装置１０は、基本的には、以上のように構成されるものであり、次にその動作、すなわち、各受信機１８（１）〜１８（ｎ）の発光部１６（１）〜１６（ｎ）を発光させる動作について説明する。発光に先立って、スタジアム、スタジオ、ホールあるいは山肌等に複数の受信機１８（１）〜１８（ｎ）を配置する。ここで、例えば、６４個の受信機１８（１）〜１８（６４）を配置する場合を例に挙げる。
【００３３】
先ず、受信機１８（１）〜１８（６４）毎に異なる受信機番号、例えば、１〜６４を割り振る。各受信機１８（１）〜１８（６４）の受信機番号１〜６４は、配置に先立って予め各自の第１メモリ３８に各々格納される。そして、例えば、図３に示すように、６４個の受信機１８（１）〜１８（６４）を、制御装置１２の配置情報、すなわち、どの受信機１８（１）〜１８（６４）をどの位置に配置するかに関する情報に基づいて、８×８のマトリックス状に配置する。
【００３４】
ここで、図４に示すように、前記８×８マトリックス内に“赤”でアルファベットの大文字“Ａ”を表示する場合を例に挙げ、以下、図５のフローチャートに基づいて各受信機１８（１）〜１８（６４）の発光部１６（１）〜１６（６４）を発光させる動作について具体的に説明する。
【００３５】
図４から諒解されるように、８×８マトリックス内に“赤”の文字“Ａ”を表示する場合、受信機番号４、１１、１３、１８、２２、２５、３１、３３、３９、４１、４２、４３、４４、４５、４６、４７、４９、５５、５７、６３を持つ受信機（以下、これらの受信機を処理対象受信機１８Ｗとする。）の赤ＬＥＤ５０のみを点灯させればよい。
【００３６】
制御装置１２は、上記情報からデジタルデータである発光処理コマンド７０を作成する（ステップＳ１）。ここで、発光処理コマンド７０の基本構成を図６に示す。発光処理コマンド７０は、コマンドの開始を示す開始データ７２と、複数の受信機１８（１）〜１８（６４）の各々を識別する受信機識別データ７４と各発光部１６（１）〜１６（６４）の発光情報データ７６とからなる受信機１８（１）〜１８（６４）毎の受信機制御データ７８と、コマンドの終了を示す終了データ８０（同期データ）とから構成される。
【００３７】
この場合、受信機識別データ７４は、各受信機１８（１）〜１８（６４）毎に割り振られた前記受信機番号コードであってもよいし、全ての受信機１８（１）〜１８（６４）を対象とする全受信機コードであってもよい。さらに、特定のグループに属する受信機のみを対象とするグループコードであってもよい。但し、全受信機コードを使用する場合、全受信機コードを予め決めて、そのコードを全受信機１８（１）〜１８（６４）の第１メモリ３８に各々格納する。また、グループコードを使用する場合は、受信機１８（１）〜１８（６４）を所定のグループに分け、各グループに独自のグループコードを付与し、受信機１８（１）〜１８（６４）は各々が属するグループのグループコードを各自の第１メモリ３８に格納する。尚、本実施の形態では、受信機識別データ７４に受信機番号コードを格納するものとする。
【００３８】
従って、図４に示すように８×８マトリックス内に“赤”の“Ａ”を表示させる場合、発光処理コマンド７０は、具体的には、図７のようなデータ構成となる。すなわち、図７において、各受信機識別データ７４には処理対象受信機１８Ｗの各受信機番号コードが格納され、各発光情報データ７６には各赤ＬＥＤ５０を発光させる指示データとしての“Ｒ”が格納される。
【００３９】
制御装置１２は、以上のようにして作成した発光処理コマンド７０を送信機１４に出力する（ステップＳ２）。
【００４０】
制御装置１２から出力された発光処理コマンド７０は、送信機１４を構成する送信機側制御部２０に入力される（ステップＳ３）。送信機側制御部２０は、入力した発光処理コマンド７０を変調部２２に引き渡す。変調部２２において、デジタルデータである発光処理コマンド７０を電波として送信することができる高周波信号（搬送波）に乗せる変調処理が行われ（ステップＳ４）、変調された搬送波は、増幅部２４を介して送信用アンテナ２６から電波として放射される（ステップＳ５）。
【００４１】
送信用アンテナ２６から放射された電波は、全受信機１８（１）〜１８（６４）の受信用アンテナ３０で同時に受信され、その後、増幅及び復調されてデジタルデータとなる（ステップＳ６）。
【００４２】
得られたデジタルデータは、全受信機１８（１）〜１８（６４）の受信機側制御部３６に同時に入力し、そこで以下の処理が行われる。
【００４３】
先ず、受信機側制御部３６は、得られたデジタルデータが開始データ７２であるか否かを判定する（ステップＳ７）。開始データ７２であると判定した場合、受信機側制御部３６は、ステップＳ６の処理を再度実行し、次のデジタルデータを取得する。一方、ステップＳ７において、開始データ７２でないと判定した場合、そのデジタルデータが終了データ８０であるか否かを判定する（ステップＳ８）。デジタルデータが終了データ８０でないと判定した場合、このデジタルデータと第１メモリ３８に格納されている自己の受信機番号コードとを比較し（ステップＳ９）、一致した場合、このデジタルデータに続く次のデジタルデータ、すなわち、発光情報データ７６を取得し、ワークメモリ４２に格納する（ステップＳ１０）。
【００４４】
ステップＳ９の処理において、デジタルデータが自己の受信機番号コードと一致しない場合、ステップＳ６の処理を再度実行して次のデジタルデータを取得する。
【００４５】
また、ステップＳ８の処理において、デジタルデータが終了データ８０であった場合、受信機側制御部３６は、ワークメモリ４２に格納されている発光情報データ７６に基づいて発光部１６（１）〜１６（６４）を駆動して発光処理を行う（ステップＳ１１）。
【００４６】
以上の処理において、受信機側制御部３６は、発光処理コマンド７０内に自己の受信機番号コードが存在しない場合、次に続く発光情報データ７６を取得せず、もちろん発光処理も行わない。一方、図７に示すように、発光処理コマンド７０には、８×８マトリックス内に文字“Ａ”を表示させるべく、処理対象受信機１８Ｗの受信機制御データ７８のみが格納されている。従って、終了データ８０の受信時に駆動されるのは処理対象受信機１８Ｗの発光部のみであるから、結局、８×８マトリックス内には文字“Ａ”が表示される。一方、図７に示すように、発光処理コマンド７０の全ての発光情報データ７６には赤ＬＥＤ５０のみの発光を指示するデータ“Ｒ”が格納されているので、処理対象受信機１８Ｗの赤ＬＥＤ５０のみが発光する。従って、８×８マトリックス内には“赤”の文字“Ａ”が表示される。
【００４７】
また、共通な発光処理コマンド７０が送信機１４から全ての処理対象受信機１８Ｗに同時に送信され、しかも、処理対象受信機１８Ｗは終了データ８０を受信したタイミングでその発光部を駆動するので、各処理対象受信機１８Ｗの各発光部の発光タイミングを同期させることができ、前記各発光部を一斉に発光させることができる。
【００４８】
尚、以上説明した第１の実施の形態では、受信機１８（１）〜１８（ｎ）における発光部１６（１）〜１６（ｎ）の発光タイミングを同期させるための同期データを終了データ８０としているが、同期データは必ずしも終了データ８０に限定されるものではない。例えば、開始データ７２、あるいは、開始データ７２及び終了データ８０以外の所定データを同期データとすることもできる。この場合、開始データ７２や所定データを受信してから所定時間経過後に発光部１６（１）〜１６（ｎ）を発光させればよい。
【００４９】
また、以上説明した第１の実施の形態では、発光部１６（１）〜１６（ｎ）を発光させる場合を例に挙げたが、消光する場合に適用することもできる。具体的には、発光処理コマンド７０を構成する発光情報データ７６に発光部１６（１）〜１６（ｎ）の消光を指示する旨の消光データを格納し、受信機１８（１）〜１８（ｎ）は、この消光データに基づいて発光部１６（１）〜１６（ｎ）を消光すればよい。もろろん、この場合も、同期データ、例えば、終了データ８０で同期をとるため、各発光部１６（１）〜１６（ｎ）の消光タイミングがばらつくことはない。
【００５０】
さらに、第１の実施の形態は、前述したように、発光部１６（１）〜１６（ｎ）を明るさ（階調）が調整可能なものとすることができる。その場合、発光情報データ７６には、階調を示す多値のデータ（例えば、調整分解能が８ビットの場合、０〜２５５のデータ）が格納される。
【００５１】
尚、前記の例では、発光情報データ７６に発光部１６（１）〜１６（ｎ）を発光させるためのデータを直接格納しているが、必ずしもこれに限定されるものではない。例えば、受信機１８（１）〜１８（ｎ）の第２メモリ４０内に発光部１６（１）〜１６（ｎ）を所定の発光パターンで発光させるための発光パターンプログラムＰ１、Ｐ２（発光パターンコードを各々Ｐ１、Ｐ２とする。）を予め格納しておく（図８参照）。そして、制御装置１２は、発光処理コマンド７０の発光情報データ７６に発光パターンコードＰ１あるいはＰ２を格納し、この発光処理コマンド７０を送信機１４から受信機１８（１）〜１８（ｎ）に送信する。受信機側制御部３６は、発光パターンコードＰ１あるいはＰ２に対応した発光パターンプログラムを第２メモリ４０から読み出し発光部１６（１）〜１６（ｎ）を所定の発光パターンで駆動する。
【００５２】
また、この場合、発光パターンプログラムＰ１、Ｐ２は、制御装置１２から送信機１４を介して受信機１８（１）〜１８（ｎ）に送信され、第２メモリ４０に格納されるようにしてもよい。
【００５３】
また、発光処理コマンド７０内に発光部１６（１）〜１６（ｎ）の発光時間を規定する新たなデータを追加し、受信機１８（１）〜１８（ｎ）は、発光部１６（１）〜１６（ｎ）を発光させた後、この発光規定時間が経過した時点で発光部１６（１）〜１６（ｎ）を自動的に消光するようにしてもよい。また、開始データ７２を受信した時点で発光部１６（１）〜１６（ｎ）を強制的に消光するようにしてもよい。あるいは、消光専用のコマンドを設け、この消光コマンドを受信した時点で発光部１６（１）〜１６（ｎ）を消光するようにしてもよい。
【００５４】
また、各受信機１８（１）〜１８（ｎ）の受信機番号１〜ｎを制御装置１２から設定、あるいは変更するようにしてもよい。具体的には、受信機番号１〜ｎを設定した受信機番号設定コマンドを設け、この受信機番号設定コマンドを制御装置１２から送信機１４を介して受信機１８（１）〜１８（ｎ）に送信し、第１メモリ３８に格納する。
【００５５】
また、上記の例では前述したとおり、受信機１８（１）〜１８（ｎ）を制御装置１２の配置情報に基づいて配置するようにしている。すなわち、制御装置１２がどの受信機１８（１）〜１８（ｎ）がどの位置にあるかを予め認識している状態で配置している。しかしながら、受信機１８（１）〜１８（ｎ）の配置は必ずしもこれに限定されるものではなく、ランダムに配置することができる。すなわち、制御装置１２の配置情報と無関係に配置することができる。但し、ランダムに配置した場合であっても、制御装置１２が受信機１８（１）〜１８（ｎ）の位置を把握していなければならない。その場合、以下の２通りの方法で受信機１８（１）〜１８（ｎ）の位置を把握することができる。
【００５６】
第１の方法は、操作者が制御装置１２を操作して、例えば、受信機番号が若い順に発光部１６（１）〜１６（ｎ）を発光させ、それを操作者が目視により確認することで受信機１８（１）〜１８（ｎ）の位置を把握する方法である。
【００５７】
第２の方法は、受信機１８（１）〜１８（ｎ）に位置を特定するシステム、例えば、ＧＰＳ（Global Positioning System）を搭載し、それによって得られた位置情報を制御装置１２に送る方法である。
【００５８】
制御装置１２は、上記のいずれかの方法で受信機１８（１）〜１８（ｎ）の位置を把握し、発光部１６（１）〜１６（ｎ）を駆動すればよい。この場合、制御装置１２は、前記受信機番号設定コマンドを用いて各受信機１８（１）〜１８（ｎ）の受信機番号を書き換えて、ランダムな配置から制御し易い規則的な配置へと変更することもできる。
【００５９】
さらに、受信機１８（１）〜１８（ｎ）は、発光部１６（１）〜１６（ｎ）を直接駆動するための操作部を有してもよい。例えば、図９は、発光部１６の赤ＬＥＤ５０、緑ＬＥＤ５２及び青ＬＥＤ５４を直接発光させるための押しボタン式スイッチ８８（操作部）を搭載したペンライトタイプの受信機１８を示す。尚、押しボタン式スイッチ８８は、通常、図２に示す受信機側制御部３６に接続される。また、発光処理コマンド７０による発光と、押しボタン式スイッチ８８による発光との間の優先順位、あるいはそれらの切換等の発光に関する取り決めは、任意に決定することができる。
【００６０】
また、第１の実施の形態に係る発光装置１０は、以下のように応用することができる。すなわち、例えば、図１０に示すように、山肌９０に複数の受信機１８（１）〜１８（ｎ）を配置し、一方、移動体、例えば、自動車９２に制御装置１２及び送信機１４を搭載し、自動車９２を移動させて山肌９０に接近させ、受信機１８（１）〜１８（ｎ）と送信機１４とが所定の位置関係になった際に発光処理コマンド７０を制御装置１２から送信機１４を介して無線１７により受信機１８（１）〜１８（ｎ）に送信し、その発光部１６（１）〜１６（ｎ）を任意に発光させるようにしてもよい。例えば、発光部１６（１）〜１６（ｎ）に歓迎を示す文字、“Ｗｅｌｃｏｍｅ！”を表示する等してもよい。もちろん、発光装置１０の応用例は上記に限定されるものではなく、例えば、受信機１８（１）〜１８（ｎ）を線路に沿って配置し、一方、送信機１４を電車に搭載し、受信機１８（１）〜１８（ｎ）と送信機１４とが所定の位置関係となったら発光部１６（１）〜１６（ｎ）に何らかの広告情報を表示するようにしてもよい。
【００６１】
尚、第１の実施の形態に係る発光装置１０では、送信機１４と、複数の受信機１８（１）〜１８（ｎ）とを無線１７により接続したので、ケーブルが不要となる。従って、ケーブルを引き回す必要がなく据付作業性を向上させることができ、また、例えば、床下等がケーブルにより雑然となることもない。さらに、送信機１４と受信機１８（１）〜１８（ｎ）とを相対移動させる場合であっても、送信機１４と受信機１８（１）〜１８（ｎ）とをケーブルで接続した場合に比して格段の機動性を有する。従って、例えば、受信機１８（１）〜１８（ｎ）、すなわち発光部１６（１）〜１６（ｎ）の光を素早く移動させることが可能となる。よって、ダイナミックな演出が可能となり、会場内の雰囲気を高めることができる。
【００６２】
また、第１の実施の形態に係る発光装置１０では、発光処理コマンド７０内に複数の受信機１８（１）〜１８（ｎ）の各々を識別するための受信機識別データ７４を設けたので、任意の受信機１８（１）〜１８（ｎ）の発光部１６（１）〜１６（ｎ）を容易に駆動することができる。
【００６３】
次に、第２の実施の形態に係る発光装置１００を図１１に示す。図１に示す第１の実施の形態に係る発光装置１０と発光装置１００との違いは、発光装置１０の制御装置１２には１台の送信機１４が接続されているのに対して、発光装置１００の制御装置１２には複数の送信機１４（１）、１４（２）が接続されている点にある。尚、第１の実施の形態に係る発光装置１０と同一の構成要素には同一の参照符号を付与し、その詳細な説明を省略する。また、図１１に示す送信機１４（１）、１４（２）、受信機１８（１）〜１８（３）は、図２に示すものと同一に構成される。従って、その詳細な説明も省略する。
【００６４】
第２の実施の形態に係る発光装置１００は、図１１に示すように、制御装置１２と、制御装置１２に接続される複数の送信機１４（１）、１４（２）と、送信機１４（１）と無線１７により接続され、発光部１６（１）を有する受信機１８（１）と、送信機１４（２）と無線１７により接続され、発光部１６（２）、１６（３）を各々有する複数の受信機１８（２）、１８（３）とから構成される。
【００６５】
以上のように構成される発光装置１００の動作、すなわち、各受信機１８（１）〜１８（３）の発光部１６（１）〜１６（３）を発光させる動作について説明する。発光に先立つ処理は、前述した発光装置１０と同様であるため、ここでの説明は省略する。
【００６６】
先ず、制御装置１２は、図１２に示す第１発光処理コマンド１１０を作成する。第１発光処理コマンド１１０は、コマンドの開始を示す開始データ１１２と、送信機１４（１）〜１４（ｎ）毎のデータである送信機制御データ１１４と、コマンドの終了を示す終了データ１１６（第１同期データ）とから基本的に構成される。送信機制御データ１１４は、送信機１４（１）〜１４（ｎ）の各々を識別する送信機識別データ１２０と、各送信機１４（１）〜１４（ｎ）に接続される受信機１８（１）〜１８（ｎ）の各々を識別する受信機識別データ１２２とその発光情報データ１２４とからなる受信機制御データ１２６とから構成される。
【００６７】
尚、上記第１発光処理コマンド１１０において、送信機制御データ１１４の数は、制御装置１２に接続される送信機１４（１）〜１４（ｎ）の数を最大とし、また、各送信機制御データ１１４における受信機制御データ１２６の数は、各送信機に接続される受信機の数を最大とする。また、送信機識別データ１２０には送信機１４（１）〜１４（ｎ）毎に割り振れた番号が格納され、受信機識別データ１２２には図６に示す受信機識別データ７４と同様に受信機番号が格納される。
【００６８】
以下、図１１に示す発光装置１００において、発光部１６（１）を“赤”で発光させ、他の発光部１６（２）、１６（３）を消光させる場合を具体例に挙げて説明する。すなわち、この場合、第１発光処理コマンド１１０は、図１３に示すようなデータ構造となる。尚、この場合、送信機１４（１）、１４（２）の送信機識別データ１２０を各々１、２とし、また、発光情報データ１２４については、Ｒ＝赤発光、Ｎ＝無発光とする。この状態の第１発光処理コマンド１１０を第１発光処理コマンド１１０Ａとする。
【００６９】
ここで、制御装置１２は、各送信機に接続される受信機の数が異なるか否かを判定する。図１１に示すように、各送信機に接続される受信機の数が異なる場合、接続される受信機の数が少ない送信機、すなわち、図１１において、１台の受信機１８（１）が接続されている送信機１４（１）の送信機制御データ１１４の長さが、最も多くの受信機が接続される送信機、すなわち、図１１において、２台の受信機１８（２）、１８（３）が接続されている送信機１４（２）の送信機制御データ１１４の長さと等しくなるように、送信機１４（１）の送信機制御データ１１４内に所定長のダミーデータ１３０を付加する。従って、図１３の第１発光処理コマンド１１０Ａは、図１４に示す第１発光処理コマンド１１０Ｂとなる。すなわち、ダミーデータ１３０を付加することによって、図１４から諒解されるように、送信機１４（１）と送信機１４（２）の各々の送信機制御データ１１４は互いに同一レコード長（この場合、５レコード長）となる。
【００７０】
制御装置１２は、この第１発光処理コマンド１１０Ｂ（但し、各送信機に接続される受信機の数が等しい場合はダミーデータ１３０が付与されていない）を送信機１４（１）、１４（２）に同時に出力する。
【００７１】
第１発光処理コマンド１１０Ｂを入力した送信機１４（１）、１４（２）は、送信機識別データ１２０が自己を示すデータであるか否かを判定し、自己を示すデータであった場合、第１発光処理コマンド１１０Ｂ内から自己に関する送信機制御データ１１４を各々取得する。
【００７２】
送信機１４（１）、１４（２）は、取得した送信機制御データ１１４から送信機識別データ１２０を取り除き、残ったデータ、すなわち、少なくとも１つの受信機制御データ１２６の先頭部に開始データ１５０を、データの最後部に終了データ１５２（第２同期データ）を各々付加した送信機１４（１）、１４（２）毎の第２発光処理コマンド１５４Ａ（図１５参照）、１５４Ｂ（図１６参照）を各々作成し、これらを第１発光処理コマンド１１０Ｂの終了データ１１６を受信したタイミングで各々の受信機（送信機１４（１）の場合は受信機１８（１）、送信機１４（２）の場合は受信機１８（２）、１８（３））に同時に送信する。
【００７３】
第２発光処理コマンド１５４Ａを受信した受信機１８（１）及び第２発光処理コマンド１５４Ｂを受信した受信機１８（２）、１８（３）は、受信機識別データ１２２が自己を示すデータであるか否かを各々判定し、自己を示すデータであった場合、終了データ１５２を受信したタイミングで発光情報データ１２４に基づき自己の発光部を駆動する。具体的には、発光部１６（１）が赤発光し、それ以外の発光部１６（２）、１６（３）は消光したままである。また、ダミーデータ１３０は無視されて何の処理も行われない。
【００７４】
以上説明したように、送信機１４（１）、１４（２）は、第２発光処理コマンド１５４Ａ、１５４Ｂを第１発光処理コマンド１１０Ｂの終了データ１１６の受信タイミングをトリガとして自己に接続される受信機に同時に送信し、さらに、第２発光処理コマンド１５４Ａ及び１５４Ｂはダミーデータ１３０によって同一レコード長となっており、しかも、同一レコード長の第２発光処理コマンド１５４Ａ及び１５４Ｂの最後部の終了データ１５２をトリガとして発光部１６（１）〜１６（３）を駆動するので、発光部１６（１）〜１６（３）間の発光タイミングの同期をとることができる。すなわち、制御装置１２に接続される送信機１４（１）〜１４（ｎ）が複数で且つ各送信機１４（１）〜１４（ｎ）に接続される受信機１８（１）〜１８（ｎ）の数が異なる場合であっても、全ての発光部１６（１）〜１６（ｎ）の発光タイミングの同期をとることができる。
【００７５】
尚、上記ダミーデータ１３０に代えて、図１３に示す第１発光処理コマンド１１０内に調整時間データ１６０を付加して、図１７に示す第１発光処理コマンド１１０Ｃとすることができる。すなわち、制御装置１２は、各送信機に接続される受信機の数が異なるか否かを判定し、図１１に示すように、各送信機に接続される受信機の数が異なる場合、接続される受信機の数が少ない送信機、すなわち、図１１において、１台の受信機１８（１）が接続されている送信機１４（１）の送信機制御データ１１４の転送時間が、最も多くの受信機が接続される送信機、すなわち、２台の受信機１８（２）、１８（３）が接続されている送信機１４（２）の送信機制御データ１１４の転送時間と等しくなるように、図１７に示すように、送信機１４（１）の送信機制御データ１１４内に送信機制御データ１１４間の転送時間差データである調整時間データ１６０を付加する。そして、制御装置１２は、この第１発光処理コマンド１１０Ｃを送信機１４（１）、１４（２）に対して同時に出力する。
【００７６】
第１発光処理コマンド１１０Ｃを入力した送信機１４（１）は、送信機識別データ１２０が自己を示すデータであるか否かを判定し、自己を示すデータであった場合、第１発光処理コマンド１１０Ｃ内から自己に接続される受信機１８（１）に関する受信機制御データ１２６と調整時間データ１６０とを取得し、取得した受信機制御データ１２６に開始データ１５０及び終了データ１５２を各々付加して第２発光処理コマンド１５４Ｃ（図１８参照）を作成し、この第２発光処理コマンド１５４Ｃを第１発光処理コマンド１１０Ｃの終了データ１１６の受信タイミングをトリガとして計時を開始し、調整時間データ１６０で規定される時間が経過した時点で受信機１８（１）に送信する。
【００７７】
一方、第１発光処理コマンド１１０Ｃを入力した送信機１４（２）は、送信機識別データ１２０が自己を示すデータであるか否かを判定し、自己を示すデータであった場合、第１発光処理コマンド１１０Ｃ内から自己に接続される受信機１８（２）、１８（３）に関する各受信機制御データ１２６を取得し、取得した各受信機制御データ１２６に開始データ１５０及び終了データ１５２を各々付加して第２発光処理コマンド１５４Ｂ（図１６参照）を作成し、この第２発光処理コマンド１５４Ｂを第１発光処理コマンド１１０Ｃの終了データ１１６の受信タイミングをトリガとして受信機１８（２）、１８（３）に送信する。
【００７８】
第２発光処理コマンド１５４Ｃ及び１５４Ｂを受信した受信機１８（１）〜１８（３）の処理は、ダミーデータ１３０の場合の処理と同様である。
【００７９】
このように構成することにより、ダミーデータ１３０を付加するのと同様の効果、すなわち、発光部１６（１）〜１６（３）間の発光タイミングの同期をとることができる。
【図面の簡単な説明】
【００８０】
【図１】第１の形態の形態に係る発光装置の概略構成図である。
【図２】図１に示す送信機及び受信機の詳細ブロック図である。
【図３】６４個の受信機を８×８マトリックス状に配置した状態を示す。
【図４】図３に示す８×８マトリックスにアルファベットの大文字Ａを表示する場合の処理対象受信機を示す。
【図５】発光処理の手順を説明するフローチャートである。
【図６】発光処理コマンドの基本構成を説明するデータフォーマットである。
【図７】発光処理コマンドの具体的設定例を示すデータフォーマットである。
【図８】２つの発光パターンプログラムを格納した状態の第２メモリのメモリマップである。
【図９】発光部を直接駆動するための押しボタン式スイッチを搭載したペンライトタイプの受信機の斜視説明図である。
【図１０】複数の受信機を山肌に配置し、送信機を移動体（自動車）に搭載した場合の発光装置の応用例を示す。
【図１１】第２の実施の形態に係る発光装置の概略構成図である。
【図１２】第１発光処理コマンドの基本構成を説明するデータフォーマットである。
【図１３】ダミーデータを付加していない状態の第１発光処理コマンドの具体的設定例を示すデータフォーマットである。
【図１４】ダミーデータを付加した状態の第１発光処理コマンドの具体的設定例を示すデータフォーマットである。
【図１５】ダミーデータを付加した状態の第２発光処理コマンドの具体的設定例を示すデータフォーマットである。
【図１６】ダミーデータを付加していない状態の第２発光処理コマンドの具体的設定例を示すデータフォーマットである。
【図１７】調整時間データを付加した状態の第１発光処理コマンドの具体的設定例を示すデータフォーマットである。
【図１８】受信機に対する送信を調整時間データにより遅延させる場合の第２発光コマンドの具体的設定例を示すデータフォーマットである。
【符号の説明】
【００８１】
１０、１００…発光装置                  １２…制御装置
１４、１４（１）、１４（２）…送信機
１６、１６（１）〜１６（ｎ）…発光部
１７…無線
１８、１８（１）〜１８（ｎ）…受信機
２０…送信機側制御部                    ２２…変調部
２６…送信用アンテナ                    ３０…受信用アンテナ
３４…復調部                            ３６…受信機側制御部
３８…第１メモリ                        ４０…第２メモリ
５０…赤ＬＥＤ                          ５２…緑ＬＥＤ
５４…青ＬＥＤ
【図１】
2005071853.tif 000003
【図２】
2005071853.tif 000004
【図３】
2005071853.tif 000005
【図４】
2005071853.tif 000006
【図５】
2005071853.tif 000007
【図６】
2005071853.tif 000008
【図７】
2005071853.tif 000009
【図８】
2005071853.tif 000010
【図９】
2005071853.tif 000011
【図１０】
2005071853.tif 000012
【図１１】
2005071853.tif 000013
【図１２】
2005071853.tif 000014
【図１３】
2005071853.tif 000015
【図１４】
2005071853.tif 000016
【図１５】
2005071853.tif 000017
【図１６】
2005071853.tif 000018
【図１７】
2005071853.tif 000019
【図１８】
2005071853.tif 000020